【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
選択されたターゲットにおいて、前記ターゲットの周囲よりも大きな音圧を発生させるのに適した指向性音響警告装置であって、前記装置は、音波誘導構造体に結合された音圧発生源を備えており、前記音圧発生源は、変換器に接続された電子信号生成システムを備えており、前記変換器は、前記信号生成システムからの電子信号を音圧波に変換することが可能であり、そして、前記信号生成システムは、人間の耳道の第１の共振周波数付近で変化する周波数を有する波形を備えた第１の信号を生成させるための構造を有しており、
前記音波誘導構造体は、
狭い端部及び広い端部を有する、端部が開放された円錐形状のホーンであって、前記ホーンの前記狭い端部が前記音圧発生源に向けて配置されているところのホーンと、
前記ホーンの前記広い端部に設けられた、音響吸収材料のホーンリングと、
前記ホーン内に設けられた位相プラグと、そして、
前記位相プラグの一部分の周りに設けられた、音響吸収材料の位相プラグリングと
を備えており、
前記ホーン及び前記位相リングの大きさ、並びに、前記ホーンリング及び位相プラグリングの位置及び大きさが、音波の指向性を最大にし、そして、前記人間の耳道の前記第１の共振周波数付近の周波数で、前記装置の使用者及びその付近に居合わせた人々に対する音波暴露レベルを最小にするように選択されることを特徴とする指向性音響警告装置。
【請求項２】
前記信号生成システムは、下限値と上限値との間で変調される周波数を有する波形を備えた信号を生成するための構造を有しており、
任意選択において、前記下限値は、３ｋＨｚであり、前記上限値は５ｋＨzであり、又は、前記下限値は、３．５ｋＨｚであり、前記上限値は４．０ｋＨzである、請求項１に記載した指向性音響警告装置。
【請求項３】
前記周波数は、一定の変調速度で、前記下限値と前記上限値との間で繰り返して変調され、
任意選択において、前記変調速度は、０．１から０．５秒の範囲内であり、又は、前記変調速度は、０．１５から０．２５秒の範囲内である、請求項２に記載した指向性音響警告装置。
【請求項４】
前記周波数は、これが、各変調サイクルにおいて、前記下限値から前記上限値に増加するように変調される、請求項２又は３に記載した指向性音響警告装置。
【請求項５】
前記信号生成システムは、前記第１の信号と同時に、第２の信号を生成するための構造を有しており、そして、前記第２の信号の周波数は、前記第１の信号に対する周波数と関連を有しており、
任意選択において、（ｉ）前記第２の信号の前記周波数は、前記第１の信号の前記周波数からの臨界周波数帯域幅の倍数であり、任意選択において、（ｉｉ）前記倍数は、０．２から０．３の範囲内であり、又は、（ｉｉ）前記第２の信号の前記周波数は、前記第１の信号が、前記下限値から前記上限値に増加するときに、前記第２の信号が前記上限値から前記下限値に減少するように変調される、請求項１から４の何れか１つに記載した指向性音響警告装置。
【請求項６】
前記波形は、正弦波形であり、そして／又は、前記信号生成システムは、ピンクノイズ信号をも生成するための構造を有している、請求項１から５の何れか１つに記載した指向性音響警告装置。
【請求項７】
前記円錐形状のホーンは、前記変換器に接続されたスロート端部と、開放されたマウス端部とを有する、真っ直ぐな壁を備えた中空状の円錐であり、
任意選択において、前記スロート端部の直径は、１センチメートルから１０センチメートルの範囲内であり、又は、前記スロート端部の直径は、３．５ｃｍから４．０ｃｍの範囲内であり、そして／又は、前記マウス端部の直径は、１０ｃｍから１００ｃｍの範囲内であり、又は、前記マウス端部の直径は、３０．５ｃｍから３１．５ｃｍの範囲内であり、そして／又は、前記スロート端部と前記マウス端部との間の距離は、２０ｃｍから１５０ｃｍの範囲内であり、又は、前記スロート端部と前記マウス端部との間の距離は、６７．０ｃｍから６８．０ｃｍの範囲内であり、そして／又は、前記音響吸収材料は、音響吸収発泡体であり、任意選択において、前記ホーンリングの一部は、ゆったりとした布で覆われており、そして／又は、前記位相プラグは、前記ホーン内に取り付けられ、そして、前記ホーンの内壁から間隔をあけて配置されている、請求項１から６の何れか１つに記載した指向性音響警告装置。
【請求項８】
前記位相プラグは、真っ直ぐな壁を備えた、第１及び第２の円錐から構成される双円錐形状であり、各々の円錐は、先端部と、前記先端部よりも広い基端部とを備えており、これらの前記円錐は、これらの基端部で接合されて、前記双円錐形状の頂点を形成すると共に、前記位相プラグの第１の円錐が、前記ホーンの円錐のスロート端部に向かう先端を有するように、前記ホーン内に取り付けられており、
そして／又は、前記位相プラグの長さは、前記真っ直ぐな壁を備えた中空状の円錐の長さと実質的に等しい、請求項１から７の何れか１つに記載した指向性音響警告装置。
【請求項９】
（ｉ）前記ホーンの前記スロート端部に近い側の、前記位相プラグの前記先端部は丸みを帯びており、
任意選択において、前記先端部の曲率半径は、０．１ｃｍから１０ｃｍの範囲内であり、又は、前記先端部の曲率半径は、０．１ｃｍから１．０ｃｍの範囲内であり、そして／又は、（ｉｉ）前記ホーンの前記マウス端部に近い側の、前記位相プラグの前記先端部は丸みを帯びており、任意選択において、前記先端部の曲率半径は、０．１ｃｍから１０ｃｍの範囲内であり、又は、前記先端部の曲率半径は、０．１ｃｍから１．０ｃｍの範囲内であり、そして／又は、（ｉｉｉ）前記位相プラグのこれらの前記円錐のこれらの前記基端部が接合されているところの前記頂点は丸みを帯びており、任意選択において、前記位相プラグの前記頂点における曲率半径は、０．１から２０ｃｍの範囲内であり、又は、前記位相プラグの前記頂点における曲率半径は、０．５から２．０ｃｍの範囲内である、請求項８に記載した指向性音響警告装置。
【請求項１０】
前記位相プラグの全長は、１０から１００ｃｍの範囲内であり、
そして／又は、前記位相プラグの全長は、６５．０から７５．０ｃｍの範囲内であり、そして／又は、前記位相プラグの直径は、５から５０ｃｍの範囲内であり、前記位相プラグの直径は、１４．０から１５，０ｃｍの範囲内であり、そして／又は、前記ホーンリングは、前記ホーンの外側に取り付けられており、そして／又は、前記ホーンリングは、０．５ｃｍから２５ｃｍの厚さを有しており、そして／又は、前記ホーンのマウス端部の前方に０ｃｍから５０ｃｍの範囲内の長さだけ突出しており、そして／又は、前記ホーンのマウス端部の後方に０ｃｍから５０ｃｍの範囲内の長さだけ広がっており、そして／又は、前記ホーンリングは、４．０ｃｍから６．０ｃｍの厚さを有しており、そして／又は、前記ホーンのマウス端部の前方に４．０ｃｍから６．０ｃｍの範囲内の長さだけ突出しており、そして／又は、前記ホーンのマウス端部の後方に１０．０ｃｍから２０．０ｃｍの範囲内の長さだけ広がっている、請求項１から９の何れか１つに記載した指向性音響警告装置。
【請求項１１】
前記位相プラグの前記第２の円錐は、その表面上に同軸上設けられた音響吸収発泡体のリングを備えており、
又は、前記ホーンリングは、前記位相プラグの前記頂点から０ｃｍから５０ｃｍの範囲内に位置しており、又は、前記ホーンリングは、前記位相プラグの前記頂点から９．０ｃｍから１０．０ｃｍの範囲内に位置している、請求項８から１０の何れか１つに記載した指向性音響警告装置。
【請求項１２】
（ｉ）前記ホーンリングは、１ｃｍから５０ｃｍの範囲内の幅を有しており、そして／又は、１ｃｍから２０ｃｍの範囲内の厚さを有しており、
そして／又は、（ｉｉ）前記ホーンリングは、４．０ｃｍから６．０ｃｍの範囲内の幅を有しており、そして／又は、１．５ｃｍから２．５ｃｍの範囲内の厚さを有しており、そして／又は、（ｉｉｉ）前記ターゲットにおける前記音圧のレベルを制限するための構造を有する音声制限器が、前記信号生成システムと連絡して設けられており、
任意選択において、前記装置とターゲットとの間の距離を求めるためのレーザー距離計が設けられ、そして、前記音声制限器が、前記レーザー距離計によって求められた、前記装置と前記ターゲットとの間の距離に基づいて、前記ターゲットにおける前記音圧のレベルを制限する構造を有しており、
そして／又は、前記音声制限器は、前記信号生成システムによって生成された信号の継続時間、及び／又は、前記装置の使用期間を制限する構造を有しており、
そして／又は、（ｉｖ）前記装置をターゲットに向けるためのビデオカメラが設けられており、
任意選択において、前記ビデオカメラの出力が記録され、
そして／又は、前記装置の地理的な位置を求めるためのＧＰＳ位置ユニットが組み入れられており、そして、前記装置は更に、ＧＰＳ位置、時間、日付、ターゲット距離、及び、前記装置によって発生した音圧に対して前記ターゲットが曝される時間、並びに、前記ターゲットのビデオ映像を、証拠のために記録することが可能である、請求項１から１１の何れか１つに記載した指向性音響警告装置。
【請求項１３】
前記装置は携帯可能である、請求項１から１２の何れか１つに記載した指向性音響警告装置。
【請求項１４】
音圧源に接続されたスロート端部と、マウス端部とを有する、真っ直ぐな壁を備えた円錐形状のホーンを備える音響装置用音波誘導構造体であって、前記スロート端部は、前記マウス端部よりも狭く、位相プラグが、前記ホーン内に取り付けられていると共に、前記ホーンの内壁から離れており、前記位相プラグは、真っ直ぐな壁を備え、基部において接合された第１及び第２の円錐から構成される双円錐形状であると共に、前記位相プラグの第１の円錐が、前記ホーンの円錐のスロート端部に向かう先端を有するように、前記ホーン内に取り付けられており、前記位相プラグの前記第２の円錐は、その表面上に同軸上設けられた音響吸収材料のリングを備えているところの音波誘導構造体。
【請求項１５】
音圧源に接続されたスロート端部と、開放されたマウス端部とを有する円錐形状のホーンを備える音響装置用音波誘導構造体であって、前記スロート端部は、前記マウス端部よりも狭く、音響吸収材料のホーンリングが、前記ホーンの広い端部側に設けられており、前記ホーンリングが、前記ホーンの外側に設けられ、そして、前記ホーンの開口部を越えて伸びて、前記ホーンの軸外音響照射を減衰するところの音波誘導構造体。